(57)【要約】【課題】前扉裏面への電気器具の組付け工数を削減すると共に、前扉の開閉の際のワイヤ配線の挟みこみを防止し得る、新規な構造の遊技機を提供すること。【解決手段】前扉１８の枠体部分５８に対してスピーカ等の電気器具６０，６１，６４，６５を取り付けると共に、該前扉１８の裏面に組み付けられて、電気部品８０、９８，１１４を実装したプリント配線板６８，７０，７２に対して該電気器具６０，６１，６４，６５への給電用配線８６，１０４，１２０を形成して、該プリント配線板６８，７０，７２の該給電用配線８６，１０４，１２０によって該電気器具６０，６１，６４，６５への給電を中継せしめた。【選択図】図４
2010158581.tif 000002
【特許請求の範囲】
【請求項１】
透視板が取り付けられた窓を有する略枠体形状の前扉が、遊技盤を保持する基枠に対して開閉可能に蝶着されており、該前扉を閉じた状態で該遊技盤の遊技領域を該窓を通じて外部から視認可能とされていると共に、該前扉における該窓の枠体部分の裏側に対して、電気部品を実装したプリント配線板が組み付けられている遊技機において、
前記前扉の前記枠体部分に対してスピーカ等の電気器具を取り付けると共に、前記電気部品を実装した前記プリント配線板に対して該電気器具への給電用配線を形成して、該プリント配線板の該給電用配線によって該電気器具への給電を中継せしめて、更に、
前記基枠側に配設された電源ユニットと接続される前扉コネクタが前記前扉の裏面に固定されて設けられていると共に、該前扉コネクタが前記給電用配線に導通されていることを特徴とする遊技機。
【請求項２】
前記プリント配線板に形成された前記給電用配線の前記電気器具側の端部と反対側の端部が、前記前扉における前記基枠との蝶着部側に設けられていると共に、前記前扉コネクタが該前扉の裏面における該蝶着部の近傍に設けられている請求項１に記載の遊技機。
【請求項３】
前記前扉の裏面において前記給電用配線が複数設けられていると共に、それら給電用配線の前記電気器具と反対側の端部が互いに近接して配設される一方、それら複数の端部から延び出すワイヤ配線が互いに束ねられて前記前扉コネクタに導通されている請求項１又は２に記載の遊技機。
【請求項４】
前記前扉における前記基枠との蝶着部位と反対側に前記電気器具が配設されている一方、前記前扉コネクタが該前扉の裏面における該蝶着部位の近傍に設けられている請求項１乃至３の何れかに記載の遊技機。
【発明の詳細な説明】
【技術分野】
【０００１】
本発明は、透視板が取り付けられた窓を有する略枠体形状の前扉の裏面に電気部品を実装したプリント配線板が配設されている遊技機に関するものである。
【背景技術】
【０００２】
従来から、パチンコ機等の遊技機は、例えば特許文献１や特許文献２に示されるように、遊技機設置島に固定される外枠と、該外枠に対して開閉自在であり且つ遊技盤を保持する基枠と、透視板が取り付けられた窓を有する略枠体形状の前扉を含んで構成されていると共に、該前扉が該基枠に対して一端を軸に開閉自在に蝶着されて、該前扉を閉じた状態で、該窓を通じて遊技盤の遊技領域を外部から視認可能とされている。
【０００３】
ところで、かかる前扉としては、その裏面において、例えばスイッチや駆動部品、或いは遊技者に対して各種の演出を行なうためのランプ等の様々な電気部品を備えたものが多い。これらの電気部品は、プリント配線板上に実装された上で、プリント配線板を介して前扉の裏面に取り付けられる。
【０００４】
また、このような前扉には、前述の電気部品のようにプリント配線板を介して前扉に配設されるものに限らず、例えばスピーカやマイク等のように、基板を介することなく直接的に取り付けられる電気器具もある。
【０００５】
そして、これらの電気部品や電気器具は、基枠の裏面に配設された電源ユニットやランプユニット、音ユニットなど各種の制御基板とワイヤ配線を通じて電気的に接続されることによって、その作動が制御されることとなる。
【０００６】
ところが、このような前扉は、透視板が取り付けられた窓を有する略枠体形状とされていることから、その幅寸法も厚さ寸法も小さいものであり、更にプリント配線板が配設された後に利用することが出来る自由空間は非常に小さなものであった。このような小さな空間に電気器具を配設して、かかる電気器具のワイヤ配線を前扉の裏面に収容することは、非常に手間のかかることであった。それ故、電気器具やプリント配線板を取り付ける際にはワイヤ配線が相互に絡み合う等して作業工数を増加せしめたり、前扉を閉じる際には、前扉からはみ出したワイヤ配線が基枠との間で挟まれて損傷するおそれもあった。
【０００７】
このような問題を解決するために、例えば特許文献１に示されるように、前扉の裏面において、透視板の外周を沿うような形状の収納リブを形成して、各電気器具から延びるワイヤ配線を収納リブに束ねて収納する方法が考えられる。このような方法によれば、複数のワイヤ配線がそれぞれ束縛されることなく配設される場合に比して、互いに絡み合うおそれが減少せしめられる。
【０００８】
しかしながら、前述の如き小さな自由空間において、複数のワイヤ配線を収納リブに沿う形で収納する作業は手間のかかるものであり、組付け工数の面から見て必ずしも有効なものではなかった。また、収納リブが形成された部位に電気器具を配設することが出来なくなって、前扉裏面における電気器具のレイアウトに関する設計自由度を低下せしめることにもなる。
【０００９】
また、特許文献２には、遊技盤における前扉の蝶着部位側に切欠きを設けて所定の空間を形成すると共に、前扉から基枠裏面に跨るワイヤ配線をかかる切欠きに挿通せしめて、前扉を閉じる際のワイヤ配線の収納を容易にせしめる方法が開示されている。しかし、かかるワイヤ配線は前扉において透視板を外周に沿って電気器具に至る相応の長さを有するものであり、前扉の開放時に基枠との間において生じる撓みの量も大きいものであって、単にこのような切欠きを形成したのみでは、そのような長さを有するワイヤ配線の挟みこみを有効に防止するには未だ不十分なものであった。
【先行技術文献】
【特許文献】
【００１０】
【特許文献１】特開平９−５６９０３号公報
【特許文献２】特開２００４−６５９４４号公報
【発明の概要】
【発明が解決しようとする課題】
【００１１】
ここにおいて、本発明は上述の如き事情を背景として為されたものであって、その解決課題とするところは、前扉裏面への電気器具の組付け工数を削減すると共に、前扉の開閉の際のワイヤ配線の挟みこみを防止し得る、新規な構造の遊技機を提供することにある。
【課題を解決するための手段】
【００１２】
以下、このような課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体および図面に記載され、或いはそれらの記載から当業者が把握することの出来る発明思想に基づいて認識されるものであることが理解されるべきである。
【００１３】
（本発明の態様１）
すなわち、本発明の第１の態様は、透視板が取り付けられた窓を有する略枠体形状の前扉が、遊技盤を保持する基枠に対して開閉可能に蝶着されており、該前扉を閉じた状態で該遊技盤の遊技領域を該窓を通じて外部から視認可能とされていると共に、該前扉における該窓の枠体部分の裏側に対して、電気部品を実装したプリント配線板が組み付けられている遊技機において、前記前扉の前記枠体部分に対してスピーカ等の電気器具を取り付けると共に、前記電気部品を実装した前記プリント配線板に対して該電気器具への給電用配線を形成して、該プリント配線板の該給電用配線によって該電気器具への給電を中継せしめて、更に、前記基枠側に配設された電源ユニットと接続される前扉コネクタが前記前扉の裏面に固定されて設けられていると共に、該前扉コネクタが前記給電用配線に導通されていることを、特徴とする。
【００１４】
本態様に従う構造とされた遊技機においては、電気器具から延び出すワイヤ配線を、プリント配線板に形成される給電用配線に接続することで配線が可能となることから、前扉に配設される電気器具から基枠の裏面に配設される制御基板にまでワイヤ配線を渡すことが不要とされて、ワイヤ配線の長さを大幅に短くすることが出来る。これにより、相応な長さを有するワイヤ配線を狭小な前扉裏面に収容する作業も不要となり、組付け作業を容易にせしめて、組み付けにかかる工数及び時間を削減することが出来るのである。なお、給電用配線としては、プリント配線板に実装される電気部品を配線するために、基板上に形成される導体パターンと同様に、プリント配線によって形成されることが好ましい。
【００１５】
さらに、前扉の裏面に収納リブを形成する等してワイヤ配線を収容する為のスペースを確保する必要も無くなるので、前扉裏面のスペース効率が向上されて、部品レイアウト等に関する設計自由度も向上せしめられるのである。
【００１６】
更にまた、ワイヤ配線の長さが短くされることから、ワイヤ配線の撓みも大幅に抑えることが出来る。これにより、ワイヤ配線が前扉からはみ出すことも防止されて、前扉の開閉時に、前扉と基枠との間でワイヤ配線を挟み込むようなおそれも軽減することが出来る。また、前扉の裏面を保護板などで覆蓋するような場合にも、ワイヤ配線を挟み込むおそれが軽減されるのである。
【００１７】
そして本発明においては、電気器具の配線を中継するプリント配線板として、前扉の装飾などのために取り付けられているプリント配線板を巧く利用することによって、上述のような多くの効果を、余分に部品点数を増加すること無く実現することが可能とされているのである。
【００１８】
なお、電気器具の配線を中継するプリント配線板は、前扉に取り付けられているものであれば何等限定されないが、前扉裏面に配設されるワイヤ配線の長さを出来る限り短くする為に、前扉の窓に沿うような形で延びる形状を有するものが望ましい。それ故、前扉の窓の周囲を電飾するために、窓の周囲に沿うような形状をもって配設されるＬＥＤ基板などが好適に採用される。また、電気器具の配線を中継するプリント配線板の枚数や給電用配線の数は何等限定されるものではなく、複数枚のプリント配線板に亘って配線を中継せしめることも可能であるし、一枚のプリント配線板上に複数の給電用配線を形成することも可能である。
【００１９】
なお、ここにおいて電気部品とは、プリント配線板上に実装されるものであって、他の部品との電気的な接続が必要とされるものを言い、ＬＥＤやスイッチ等が例示される。また、電気器具とは電気的な接続が必要とされるものであれば良く、例えばランプやスピーカ、駆動モータ等に限らず、電気部品を実装したプリント配線板等も含むものである。即ち、上述のプリント配線板それ自体も電気器具に含まれるものであって、プリント配線板への配線を他のプリント配線板に形成した給電用配線によって中継せしめることなども可能である。なお、このことから明らかなように、本明細書中に言う給電は電力の供給のみならず、制御信号等の電気信号の伝達も含むものである。
【００２０】
（本発明の態様２）
本発明の第２の態様は、前記態様１に係る遊技機において、前記プリント配線板に形成された前記給電用配線の前記電気器具側の端部と反対側の端部が、前記前扉における前記基枠との蝶着部側に設けられていると共に、前記前扉コネクタが該前扉の裏面における該蝶着部の近傍に設けられていることを、特徴とする。本態様に従う構造とされた遊技機においては、給電用配線の基枠の裏面に配設された各種制御基板に向かう側の端部が、可及的に制御基盤に近い位置に設けられることによって、前扉と基枠との間に跨るワイヤ配線の長さを可及的に短くすることが出来る。これにより、ワイヤ配線の撓みを抑えて、前扉の開閉時にワイヤ配線を挟み込むおそれを軽減することが出来る。このことから明らかなように、本態様において、給電用配線の電気器具側の端部と反対側の端部は、単に電気器具側の端部に比して蝶着部側に配設されているのみならず、出来る限り蝶着部の近くに設けられることが望ましい。
【００２１】
（本発明の態様３）
本発明の第３の態様は、前記態様１又は２に係る遊技機において、前記前扉の裏面において前記給電用配線が複数設けられていると共に、それら給電用配線の前記電気器具と反対側の端部が互いに近接して配設される一方、それら複数の端部から延び出すワイヤ配線が互いに束ねられて前記前扉コネクタに導通されていることを、特徴とする。本態様に従う構造とされた遊技機においては、複数の給電用配線の端部から延び出す複数のワイヤ配線が、一旦束ねられた上で基枠に向けられていることによって、複数のワイヤ配線の取り扱いを容易にすることが出来る。また、複数の給電用配線の端部が互いに近接して配設されていることによって、給電用配線の端部から延び出したワイヤ配線を、給電用配線の端部に近い部位で束ねることによって、ワイヤ配線の撓みも抑えることが出来る。
【００２２】
なお、複数の給電用配線とは、複数のプリント配線板が前扉に配設されることによって複数設けられているものであっても良いし、或いは一枚のプリント配線板上に複数本の給電用配線が形成されていても良い。
【００２３】
また、複数のワイヤ配線の束ね方としては様々な態様が適宜に採用可能であって、単にゴムや布等から成るベルトや針金等の金属線で束ねる等しても良いし、或いはコネクタ等の電気接続部品を用いて、複数のワイヤ配線の端部を一つに纏めること等も可能である。
【００２４】
（本発明の態様４）
本発明の第４の態様は、前記態様１乃至３の何れかに係る遊技機において、前記前扉における前記基枠との蝶着部位と反対側に前記電気器具が配設されている一方、前記前扉コネクタが該前扉の裏面における該蝶着部位の近傍に設けられていることを、特徴とする。本態様に従う構造とされた遊技機においては、前扉の蝶着部位から電気器具に至るまでの間を配線するために、前扉の幅寸法と略等しい程度の長さを有するワイヤ配線を渡す必要があって、ワイヤ配線の撓みを招くおそれも大きくなるところを、プリント配線板で配線を中継することによって、ワイヤ配線の長さを大幅に短くすることが可能となる。これにより、ワイヤ配線の撓みを有効に抑えることが出来て、前扉の開閉時にワイヤ配線を挟み込むおそれも軽減することが出来る。また、ワイヤ配線を前扉の裏面に収容する手間も省けることから、組付け工数及び時間を軽減することも出来る。
【００２５】
（本発明の態様５）
本発明の第５の態様は、前記態様１乃至４の何れかに係る遊技機において、前記前扉の前記枠体部分に少なくとも２つの前記電気器具を備えており、該電気器具が前記基枠との蝶着部位側と、前記窓を挟んで該蝶着部位と反対側のそれぞれの側に配設されていると共に、それら電気器具の前記給電用配線及び／又はワイヤ配線が電気接続部品で束ねられた上で該基枠に向かって延び出していることを、特徴とする。
【００２６】
本態様に従う構造とされた遊技機においては、前扉の窓を挟んで両側に配設することが要求される電気器具を配設する場合に、それらの電気器具から延びるワイヤ配線の長さを短く抑えることが出来る。これにより、例えば、電気器具が、ステレオ効果を発揮する為に窓を挟んで左右に配設することが不可避的に必要とされるスピーカ等である場合に、本態様が好適に採用される。
【００２７】
また、電気器具の給電用配線及び／又はワイヤ配線が電気接続部品で束ねられていることによって、これらの配線の接続作業が容易とされている。電気接続部品としてはコネクタ等が好適に採用され得て、より好適には、基枠における各制御基板から延び出すワイヤ配線も、その端部がコネクタで纏められて、両コネクタの接続のみによって前扉の各電気機器と、基枠に配設された各制御基板との接続が行なわれることが望ましい。かかるコネクタ部品は前扉に対して非固定的に構成されて、それぞれのワイヤ配線の端部を束ねていても良いし、或いは前扉に対して固定的に形成されていても良い。更にまた、プリント配線板上に配設されて、プリント配線板に形成された給電用配線と接続される等しても良い。
【発明の効果】
【００２８】
上述の説明から明らかなように、本発明に従う構造とされた遊技機においては、前扉の裏面における電気部品を実装したプリント配線板に対して電気器具への給電用配線を形成して、電気器具への配線を中継せしめたことによって、電気部品から延び出すワイヤ配線を短くすることが出来て、ワイヤ配線を前扉の裏面に収容する工数や時間を削減することが出来る。更に、ワイヤ配線を短くすることによって、ワイヤ配線の撓みを抑えて、前扉の開閉時に前扉と基枠との間でワイヤ配線を挟みこむおそれも軽減することが出来る。
【００２９】
更にまた、前扉の裏面にワイヤ配線を収容するスペースを確保する必要が無くなることによって、前扉裏面の設計自由度を向上せしめることも可能となるのである。
【図面の簡単な説明】
【００３０】
【図１】本発明の第一の実施形態としてのパチンコ機を示す正面図である。
【図２】図１に示したパチンコ機の背面図である。
【図３】図１に示したパチンコ機の前扉の正面図である。
【図４】図３に示した前扉の背面図である。
【図５】上側ＬＥＤ基板のＬＥＤ位置を示す正面図である。
【図６】図５に示した上側ＬＥＤ基板の表面の導体パターンを示す正面図である。
【図７】図５に示した上側ＬＥＤ基板を正面から見た場合の裏面の導体パターンを示す正面図である。
【図８】蝶着部側ＬＥＤ基板のＬＥＤ位置を示す正面図である。
【図９】図８に示した蝶着部側ＬＥＤ基板の表面の導体パターンを示す正面図である。
【図１０】図８に示した蝶着部側ＬＥＤ基板を正面から見た場合の裏面の導体パターンを示す正面図である。
【図１１】開放端側ＬＥＤ基板のＬＥＤ位置を示す正面図である。
【図１２】図１１に示した開放端側ＬＥＤ基板の表面の導体パターンを示す正面図である。
【図１３】図１１に示した開放端側ＬＥＤ基板を正面から見た場合の裏面の導体パターンを示す正面図である。
【図１４】下蝶着部側ＬＥＤ基板のＬＥＤ位置を示す正面図である。
【図１５】図１４に示した下蝶着部側ＬＥＤ基板の表面の導体パターンを示す正面図である。
【図１６】下開放端側ＬＥＤ基板のＬＥＤ位置を示す正面図である。
【図１７】図１６に示した下開放端側ＬＥＤ基板の表面の導体パターンを示す正面図である。
【発明を実施するための形態】
【００３１】
以下、本発明を更に具体的に明らかにするために、本発明の実施形態について、図面を参照しつつ、詳細に説明する。
【００３２】
先ず、図１及び図２には、本発明の第一の実施形態としてのパチンコ機１０が示されている。図１は、パチンコ機１０の正面図であり、図２は、パチンコ機１０の裏面図である。なお、本明細書において正面及び前面とは、遊技者が位置する側を示すものとする。
【００３３】
パチンコ機１０は、縦長な方形状に枠組み形成される外枠１２に対して、遊技盤１４を保持すると共に、パチンコ機１０の主要な構成の略全てが集約して設けられる基枠１６が、外枠１２の幅方向一方の端部を中心に回動可能に取り付けられている。そして、基枠１６の前面には、前扉１８と、皿板２０が、それぞれ基枠１６の幅方向一方の端部を中心に回動可能に設けられている。なお、本実施形態においては、基枠１６、前扉１８、及び皿板２０は何れも図１中左側の端部が蝶着部とされており、回動作動の中心軸とされている。即ち、基枠１６は外枠１２に設けられた基枠用ヒンジ２１ａ，２１ｂによって外枠１２に対して回動可能に取り付けられており、前扉１８及び皿板２０は、それぞれ基枠１６に取り付けられた前扉用ヒンジ２３ａ，２３ｂ、皿板用ヒンジ２５ａ，２５ｂを介して基枠１６に対して回動可能に取り付けられている。
【００３４】
前扉１８は、透視板としてのガラス板２２が取り付けられた窓としてのガラス窓２４を有すると共に、基枠１６と略等しい幅寸法を持った略枠体形状とされており、その閉じた状態において、ガラス窓２４を通して、基枠１６に取り付けられた遊技盤１４の遊技領域１９が外部から視認可能とされている。更に、前扉１８の回動中心軸と反対側の端部には、切欠き２６が形成されており、かかる切欠き２６から、基枠１６に装着された枠鍵２７が外部に露出せしめられている。かかる枠鍵２７は、前扉１８を基枠１６に対して密着した状態に保持するのみならず、基枠１６を外枠１２に対して密着した状態に保持するようになっている。また、前扉１８には、不正防止のために、前扉１８が開放されたことを検出するための図示しない前扉開放検出スイッチが設けられている。更にまた、前扉１８の上側及び下側の左右には、複数のスリットからなる出音口２８が形成されており、それら出音口２８の裏側には、後述するスピーカ６０，６１，６４，６５が固定されている。そして、スピーカ６０，６１，６４，６５の作動時には、スピーカ６０，６１，６４，６５から出音口２８を通じて外部に効果音が出力されるようになっている。
【００３５】
さらに、前扉１８の下側には、前扉１８及び基枠１６と略等しい幅寸法を有する横長な長方形状の皿板２０が、基枠１６に対して幅方向一方の端部を中心に回動可能に取り付けられている。かかる皿板２０の前面には、賞球を貯留するための上皿３０が、前方に突出して設けられている。
【００３６】
そして、基枠１６の前面における皿板２０の下方には、下皿３２が前方に突出するようにして設けられている。下皿３２はパチンコ機１０の裏側において、上皿３０に連通せしめられており、上皿３０内から溢れた遊技球が上皿３０内から下皿３２内に排出されるようになっている。また、上皿３０と下皿３２を連通する球通路には、下皿満杯スイッチ（図示せず）が設けられている。
【００３７】
さらに、下皿３２の図１における右側には、発射ハンドル３４が回動可能に装着されており、発射ハンドル３４の裏側には、発射モータ３６（図２参照）が装着されている。発射モータ３６の回転軸には、図示しないクランク機構を介して図示しない打球槌が連結されており、発射ハンドル３４が周方向一方の側に回動操作せしめられることによって発射モータ３６に電源が与えられ、打球槌が上皿３０内に貯留された遊技球を弾き出すようになっている。遊技球を弾き出す強さは、発射ハンドル３４の回動操作によって調節可能とされており、発射ハンドル３４を所望の位置まで回転させた状態を手で保持することによって、遊技球を一定の強さで弾き出すことが出来るようになっている。
【００３８】
さらに、本実施形態においては、基枠１６の下部における外枠１２の前面にも、出音口としての外枠出音口３８が設けられており、外枠出音口３８の裏面に配設された図示しないスピーカからの効果音が、外枠出音口３８を通して聞こえるようにされている。
【００３９】
一方、パチンコ機１０の裏側には、図２に示されているように、多量の賞球を貯留する賞球タンク４０が上部に設けられている。かかる賞球タンク４０には、賞球タンク４０に貯留された賞球を整列して賞球払出装置４２に誘導するタンクレール４４が傾斜状に設けられている。また、タンクレール４４において、賞球タンク４０に接続されている付近には、賞球タンク４０に貯留されている賞球が少なくなったことを検出する球切れ検出スイッチ（図示せず）が設けられている。なお、賞球払出装置４２内には、パルスモータからなる賞球モータを駆動源とする賞球払出機構が収容されており、賞球モータの回転軸が単位量回転する毎に賞球払出装置４２内から下方へ１個ずつ遊技球が払い出されるようになっている。そして、パチンコ機１０の裏側には、賞球払出装置４２と上皿３０を繋ぐ図示しない球通路が設けられており、賞球払出装置４２から払い出された遊技球がかかる球通路を介して上皿３０に供給される。
【００４０】
さらに、パチンコ機１０の裏側には、遊技動作を制御する主制御基板４６、外部から電力を得ると共に、各制御基板や駆動装置へ電力を分配して供給する電源ユニット４８、遊技盤１４の略中央において、各種の変動図柄を表示する図柄表示装置の作動を制御する図柄制御基板５０、後述するスピーカや、装飾部材としてのランプやＬＥＤの作動を制御する音・光制御基板５２など各種の制御基板が取り付けられている。ここにおいて、主制御基板４６は、主制御基板ケース５４に収容された状態でパチンコ機１０の裏側に取り付けられており、主制御基板ケース５４は、封止手段５６によって、容易に開封されないようにされている。
【００４１】
また、パチンコ機１０には、プリペイドカードユニットが接続されるようになっており、かかるプリペイドカードユニットを利用して球貸しを行なうようになっているが、ここでは、それらの図示及び説明は省略する。
【００４２】
次に、前扉１８の前面を図３に、裏面を図４にそれぞれ示す。前述のように、前扉１８は、枠体部分５８の中央に、透視板としてのガラス板２２が取り付けられた窓としてのガラス窓２４を有する略枠体形状とされている。
【００４３】
また、図４に示すように、前扉１８の枠体部分５８の裏面上部には、電気器具としての一対の上側スピーカ６０、６１が取り付けられており、前扉１８の蝶着部側が上蝶着部側スピーカ６０、開放端側が上開放端側スピーカ６１とされている。また、これら上側スピーカ６０、６１と同様に、枠体部分５８の裏面下部にも同じく電気器具としての一対の下側スピーカ６４，６５が取り付けられており、前扉１８の蝶着部側が下蝶着部側スピーカ６４、開放端側が下開放端側スピーカ６５とされている。これら上側スピーカ６０、６１、及び下側スピーカ６４，６５は、それぞれ前述の出音口２８、２８、２８、２８と重なり合う位置に取り付けられている。
【００４４】
そして、これら上下側スピーカ６０，６１，６４，６５のそれぞれの間に跨るようにして、プリント配線板としてのＬＥＤ基板が枠体部分５８の裏面に組付けられている。本実施形態においては、上蝶着部側スピーカ６０と、上開放端側スピーカ６１との間に上側ＬＥＤ基板６８が、上蝶着部側スピーカ６０と、下蝶着部側スピーカ６４との間に蝶着部側ＬＥＤ基板７０が、上開放端側スピーカ６１と、下開放端側スピーカ６５との間に開放端側ＬＥＤ基板７２が、下蝶着部側スピーカ６４と下開放端側スピーカ６５との間の蝶着部側に下蝶着部側ＬＥＤ基板７４が、開放端側には下開放端側ＬＥＤ基板７６がそれぞれ組み付けられている。そして、これらＬＥＤ基板６８，７０，７２，７４，７６の表面には、電気部品としてのＬＥＤが多数実装されており、それらのＬＥＤから出る光が、前扉１８を通して遊技者に視認可能とされている。これにより、前扉１８は、ガラス窓２４の略全周に亘ってＬＥＤによる電飾が施されている。
【００４５】
先ず、図５乃至図７に、上蝶着部側スピーカ６０と、上開放端側スピーカ６１の間に配設される上側ＬＥＤ基板６８を示す。上側ＬＥＤ基板６８は、図４に示すように、両スピーカ６０，６１の間に跨る所定の幅寸法を有すると共に、そのガラス窓２４側の端縁部は、ガラス窓２４と略等しい曲率をもって、ガラス窓２４に沿うように形成された上側基板７８から構成されている。そして、図５に示すように、上側基板７８の前扉１８への取り付け状態における表面側に、上側基板７８の略全面に亘って電気部品としての多数のＬＥＤ８０が取り付けられている。これらＬＥＤ８０は、図６に示すように、上側基板７８の表面にプリント配線によって形成された導体パターン８２によって、給電が行なわれるようになっている。一方、図７に示すように、上側基板７８の裏面にも導体パターン８４がプリント配線によって形成されており、かかる導体パターン８４の一部が、給電用配線としての中継配線８６とされている。なお、図５乃至図７は、上側ＬＥＤ基板６８の正面から見た形を示しており、図７においては、図５に示すＬＥＤ８０や図６に示す表面の導体パターン８２との位置関係が明瞭となるように、裏面に形成される導体パターン８４を表側から見た形状を示している。そして、これら導体パターン８２、８４の端部は、上側基板７８の蝶着部側端部に設けられた蝶着部側コネクタ８８と、上側基板７８の開放端側端部に設けられた開放端側第一コネクタ９０、開放端側第二コネクタ９２によって束ねられている。なお、本実施形態において、蝶着部側コネクタ８８及び開放端側第一コネクタ９０は、上側基板７８の裏面に設けられる一方、開放端側第二コネクタ９２は、上側基板７８の表面に設けられている。これにより、中継配線８６は、上側基板７８における蝶着部側から開放端側に亘って配線されている。
【００４６】
このような構造とされた上側ＬＥＤ基板６８は、上側基板７８の複数箇所に貫設された取り付け穴９４、９４が前扉１８の裏面に形成されたボスに対してビス止めされることによって、前扉１８の裏面に取り付けられる。そして、かかる上側基板７８に設けられた開放端側第一コネクタ９０に対して、上開放端側スピーカ６１のワイヤ配線９５が接続される。このようにして、開放端側第一コネクタ９０に接続された上開放端側スピーカ６１のワイヤ配線９５は、開放端側第一コネクタ９０に接続されている中継配線８６によって給電が中継されているのである。ここにおいて、開放端側第一コネクタ９０が、上開放端側スピーカ６１のすぐ近くに位置していることから、開放端側第一コネクタ９０と上開放端側スピーカ６１を繋ぐワイヤ配線９５の長さを短く抑えることが出来るのである。
【００４７】
次に、図８乃至図１０に、上蝶着部側スピーカ６０と、下蝶着部側スピーカ６４の間に配設される、蝶着部側ＬＥＤ基板７０を示す。蝶着部側ＬＥＤ基板７０は、図４に示すように、両スピーカ６０，６４の間に跨る所定の高さ寸法を有すると共に、そのガラス窓２４側の端縁部は、ガラス窓２４と略等しい曲率をもって、ガラス窓２４に沿うように形成された蝶着部側基板９６から構成されている。そして、図８に示すように、蝶着部側基板９６の前扉１８への取り付け状態における表面側に、蝶着部側基板９６の略全面に亘って電気部品としての多数のＬＥＤ９８が取り付けられている。これらＬＥＤ９８は、図９に示すように、蝶着部側基板９６の表面にプリント配線によって形成された導体パターン１００によって、給電が行なわれるようになっている。一方、図１０に示すように、蝶着部側基板９６の裏面にも導体パターン１０２がプリント配線によって形成されており、かかる導体パターン１０２の一部が、給電用配線としての中継配線１０４とされている。なお、図８乃至図１０は、蝶着部側ＬＥＤ基板７０の正面から見た形を示しており、図１０においては、図８に示すＬＥＤ９８や図９に示す表面の導体パターン１００との位置関係が明瞭となるように、裏面に形成される導体パターン１０２を表側から見た形状を示している。そして、これら導体パターン１００，１０２の端部は、蝶着部側基板９６の上端部に設けられた上側第一コネクタ１０６及び上側第二コネクタ１０７と、蝶着部側基板９６の下端部に設けられた下側第一コネクタ１０８及び下側第二コネクタ１０９によって束ねられている。なお、本実施形態において、上側第一コネクタ１０６及び上側第二コネクタ１０７は、蝶着部側基板９６の裏面に設けられる一方、下側第一コネクタ１０８及び下側第二コネクタ１０９は、蝶着部側基板９６の表面に設けられている。これにより、中継配線１０４は、蝶着部側基板９６における上端部から下端部に亘って配線されている。
【００４８】
このような構造とされた蝶着部側ＬＥＤ基板７０は、蝶着部側基板９６の複数箇所に貫設乃至は切欠き状に形成された取り付け穴１１０、１１０が前扉１８の裏面に形成されたボスに対してビス止めされることによって、前扉１８の裏面に取り付けられる。そして、かかる蝶着部側基板９６に設けられた上側第二コネクタ１０７に対して、上蝶着部側スピーカ６０のワイヤ配線１１１が接続されると共に、下側第二コネクタ１０９に対して、下蝶着部側スピーカ６４のワイヤ配線１１５が接続される。このようにして、上側第二コネクタ１０７に接続された上蝶着部側スピーカ６０のワイヤ配線１１１と、下側第二コネクタ１０９に接続された下蝶着部側スピーカ６４のワイヤ配線１１５は、それぞれ蝶着部側基板９６に形成された中継配線１０４によって給電が中継されているのである。ここにおいて、上側第二コネクタ１０７及び下側第二コネクタ１０９はそれぞれ、上蝶着部側スピーカ６０と下蝶着部側スピーカ６４に近い位置に配設されていることから、それぞれのワイヤ配線１１１、１１５の長さを短く抑えることが出来るのである。
【００４９】
次に、図１１乃至図１３に、ガラス窓２４を挟んで蝶着部側ＬＥＤ基板７０と反対側の、上開放端側スピーカ６１と、下開放端側スピーカ６５との間に配設される、開放端側ＬＥＤ基板７２を示す。開放端側ＬＥＤ基板７２は、図４に示すように、両スピーカ６１，６５の間に跨る所定の高さ寸法を有すると共に、そのガラス窓２４側の端縁部は、ガラス窓２４と略等しい曲率をもって、ガラス窓２４に沿うように形成された開放端側基板１１２から構成されている。なお、開放端側基板１１２の下端部には、前扉１８の切欠き２６と重なり合う箇所に同様の切欠き１１３が形成されて、前扉１８を閉じた状態で枠鍵２７を隠さないようにされている。そして、図１１に示すように、開放端側基板１１２の前扉１８への取り付け状態における表面側に、開放端側基板１１２の略全面に亘って電気部品としての多数のＬＥＤ１１４が取り付けられている。これらＬＥＤ１１４は、図１２に示すように、開放端側基板１１２の表面にプリント配線によって形成された導体パターン１１６によって、給電が行なわれるようになっている。一方、図１３に示すように、開放端側基板１１２の裏面にも導体パターン１１８がプリント配線によって形成されており、かかる導体パターン１１８の一部が、給電用配線としての中継配線１２０とされている。なお、図１１乃至図１３は、開放端側ＬＥＤ基板７２の正面から見た形を示しており、図１３においては、図１１に示すＬＥＤ１１４や図１２に示す表面の導体パターン１１６との位置関係が明瞭となるように、裏面に形成される導体パターン１１８を表側から見た形状を示している。そして、これら導体パターン１１６，１１８の端部は、開放端側基板１１２の上端部に設けられた上側コネクタ１２２と、開放端側基板１１２の下端部に設けられた下側第一コネクタ１２４及び下側第二コネクタ１２６によって束ねられている。なお、本実施形態において、上側コネクタ１２２、下側第一コネクタ１２４、及び下側第二コネクタ１２６は何れも開放端側基板１１２の表面に設けられている。これにより、中継配線１２０は、開放端側基板１１２における上端部から下端部に亘って配線されている。
【００５０】
このような構造とされた開放端側ＬＥＤ基板７２は、開放端側基板１１２の複数箇所に貫設乃至は切欠き状に形成された取り付け穴１２８、１２８が前扉１８の裏面に形成されたボスに対してビス止めされることによって、前扉１８の裏面に取り付けられる。そして、かかる開放端側基板１１２に設けられた上側コネクタ１２２に対して、前述の上側ＬＥＤ基板６８の開放端側第二コネクタ９２がワイヤ配線１２７を介して接続されると共に、開放端側基板１１２に設けられた下側第二コネクタ１２６に対して、下開放端側スピーカ６５のワイヤ配線１２９が接続される。このようにして、下側第二コネクタ１２６に接続された下開放端側スピーカ６５のワイヤ配線１２９は、下側第二コネクタ１２６に接続されている中継配線１２０によって給電が中継されているのである。ここにおいて、下側第二コネクタ１２６が、下開放端側スピーカ６５のすぐ近くに位置していることから、下側第二コネクタ１２６と下開放端側スピーカ６５との間に跨るワイヤ配線１２９の長さを短く抑えることが出来るのである。
【００５１】
さらに、図４に示すように、前扉１８の下側の下蝶着部側スピーカ６４と、下開放端側スピーカ６５との間には、その蝶着部側に下蝶着部側ＬＥＤ基板７４が配設されて、その開放端側に下開放端側ＬＥＤ基板７６が配設されている。
【００５２】
図１４及び図１５に、下蝶着部側ＬＥＤ基板７４を示す。下蝶着部側ＬＥＤ基板７４は、下蝶着部側スピーカ６４から、ガラス窓２４の中央部分に至る幅寸法を有すると共に、そのガラス窓２４側の端縁部は、ガラス窓２４と略等しい曲率をもって、ガラス窓２４に沿うように形成された下蝶着部側基板１３０から構成されている。そして、図１４に示すように、下蝶着部側基板１３０の前扉１８への取り付け状態における表面側に、下蝶着部側基板１３０の略全面に亘って電気部品としての多数のＬＥＤ１３２が取り付けられている。これらＬＥＤ１３２は、図１５に示すように、下蝶着部側基板１３０の表面に形成された導体パターン１３４によって給電が行なわれるようになっている。なお、図１４及び図１５は、下蝶着部側ＬＥＤ基板７４の正面から見た形を示している。そして、導体パターン１３４の端部は、下蝶着部側基板１３０の蝶着部側端部に設けられたコネクタ１３６によって束ねられている。なお、本実施形態において、コネクタ１３６は、下蝶着部端側基板１３０の表面に設けられている。
【００５３】
このような構造とされた下蝶着部側ＬＥＤ基板７４は、下蝶着部側基板１３０の複数箇所に貫設された取り付け穴１３８、１３８が前扉１８の裏面に形成されたボスに対してビス止めされることによって、前扉１８の裏面に取り付けられる。そして、かかる下蝶着部側基板１３０に設けられたコネクタ１３６に対して、前述の蝶着部側ＬＥＤ基板７０の下側第一コネクタ１０８がワイヤ配線１３９を介して接続される。このようにして、下蝶着部側ＬＥＤ基板７４への給電用配線は、蝶着部側ＬＥＤ基板７０に形成された中継配線１０４によって中継されているのである。
【００５４】
一方、図１６及び図１７に、下開放端部側ＬＥＤ基板７６を示す。下開放端部側ＬＥＤ基板７６は、下蝶着部側ＬＥＤ基板７４と略同様の構造とされており、下開放端側スピーカ６５から、ガラス窓２４の中央部分に至る幅寸法を有すると共に、そのガラス窓２４側の端縁部は、ガラス窓２４と略等しい曲率をもって、ガラス窓２４に沿うように形成された下開放端側基板１４０から構成されている。そして、図１６に示すように、下開放端側基板１４０の前扉１８への取り付け状態における表面側に、下開放端側基板１４０の略全面に亘って電気部品としての多数のＬＥＤ１４２が取り付けられている。これらＬＥＤ１４２は、図１７に示すように、下開放端側基板１４０の表面に形成された導体パターン１４４によって給電が行なわれるようになっている。なお、図１６及び図１７は、下開放端側ＬＥＤ基板７６の正面から見た形を示している。そして、導体パターン１４４の端部は、下開放端側基板１４０の開放端側端部に設けられたコネクタ１４６によって束ねられている。なお、本実施形態において、コネクタ１４６は、下開放端側基板１４０の表面に設けられている。
【００５５】
このような構造とされた下開放端側ＬＥＤ基板７６は、下開放端側基板１４０の複数箇所に貫設された取り付け穴１４８、１４８が前扉１８の裏面に形成されたボスに対してビス止めされることによって、前扉１８の裏面に取り付けられる。そして、かかる下開放端側基板１４０に設けられたコネクタ１４６に対して、前述の開放端側ＬＥＤ基板７２の下側第一コネクタ１２４がワイヤ配線１４９を介して接続される。このようにして、下開放端側ＬＥＤ基板７６への給電用配線は、開放端側ＬＥＤ基板７２に形成された中継配線１２０によって中継されているのである。
【００５６】
なお、このことから明らかなように、本実施形態において、下蝶着部側ＬＥＤ基板７４と、下開放端側ＬＥＤ基板７６は隣接して配設されているが、互いに接続されてはいない。また、下蝶着部側ＬＥＤ基板７４及び下開放端側ＬＥＤ基板７６もプリント配線板ではあるが、本実施形態においてこれら基板７４，７６はスピーカ６４、６５と同様に、それぞれ蝶着部側ＬＥＤ基板７０、開放端側ＬＥＤ基板７２によって給電用配線が中継される電気器具とされている。即ち、これらの基板７４，７６には、給電用配線としての導体パターンは形成されていない。
【００５７】
そして、上側ＬＥＤ基板６８と蝶着部側ＬＥＤ基板７０から延び出したワイヤ配線１５０，１５２が、前扉１８の蝶着部側上部に備えられた電気接続部品としての前扉コネクタ１５４に接続されて、これらワイヤ配線１５０，１５２の基枠１６側の端部が、前扉コネクタ１５４によって束ねられている。かかる前扉コネクタ１５４は前扉１８の裏面に固定的に配設されており、基枠１６の裏面に備えられた各制御基板から延び出すワイヤ配線が束ねられた図示しないコネクタと接続されることによって、前扉１８の裏面に配設されたスピーカ６０、６１、６４，６５や各ＬＥＤ基板６８，７０，７２，７４，７６が、基枠１６の裏面に配設された電源ユニット４８や、音・光制御基板５２等の各制御基板と接続されることとなる。なお、本実施形態においては、前扉コネクタ１５４は前扉１８に固定的に配設されているが、単にワイヤ配線１５０，１５２の基枠１６側の端部を一つに纏めるために接続されて、前扉１８に対しては非固定的に設けられていても良い。或いは、前扉コネクタ１５４を、プリント配線板としての上側ＬＥＤ基板６８や蝶着部側ＬＥＤ基板７０上に実装する等しても良く、そのような態様においては、給電用配線としての中継配線８６、１０４が直接前扉コネクタ１５４に接続される等しても良い。
【００５８】
ここにおいて、前扉１８の裏面に配設されたスピーカやＬＥＤ等の配線を、前扉コネクタ１５４で束ねたことによって、前扉コネクタ１５４の接続を行なうのみで、基枠１６の裏面に配設された各制御機器との接続を容易に行なうことが出来るのである。また、前扉コネクタ１５４が前扉１８の裏面に固定されることによって、前扉１８の開閉に伴ってワイヤ配線１５０，１５２が動くことが防止されて、ワイヤ配線１５０，１５２を挟みこむおそれが軽減されている。そして、特に開放端側に取り付けられる上開放端側スピーカ６１と下開放端側スピーカ６５から延び出すワイヤ配線９５、１２９は、それぞれ直近の上側ＬＥＤ基板６８、開放端側ＬＥＤ基板７２に接続されるので、蝶着部側にまで引き伸ばす場合に比べて、その長さ寸法を大幅に短くすることが出来て、両スピーカ６１、６５の組付け作業も容易なものとされる。そして、これらのワイヤ配線９５，１２９を蝶着部側にまで渡すための配設スペースも不要とされて、前扉１８の設計自由度も向上されるのである。
【００５９】
以上、本発明の実施形態について詳述してきたが、これはあくまでも例示であって、本発明は、かかる実施形態における具体的な記載によって、何等、限定的に解釈されるものでない。
【００６０】
例えば、前扉１８の裏面に配設される各ＬＥＤ基板６８，７０，７２，７４、７６の具体的形状やＬＥＤの配設位置、導体パターンの具体的形状等は何等本実施形態の態様に限定されるものでないことは、言うまでも無い。また、各ＬＥＤ基板６８，７０，７２，７４，７６は両面プリント配線板、片面プリント配線板、多層プリント配線板など、各種のプリント配線板が適宜に採用可能である。
【００６１】
さらに、給電用配線を形成するプリント配線板としては、ＬＥＤ基板に限らず、例えばＣＲ機における度数表示基板等を用いることも可能である。
【００６２】
また、本実施形態においては、電気器具としてスピーカを用いた例を示したが、前扉の裏面に取り付けられる電気器具はスピーカに限定されるものではなく、例えばランプや駆動モータ等でも良い。
【００６３】
更にまた、本発明は、パチンコ機に限定されること無く、スロットマシン等に対しても適用することが可能である。
【００６４】
その他、一々列挙はしないが、本発明は、当業者の知識に基づいて種々なる変更，修正，改良等を加えた態様において実施され得るものであり、また、そのような実施態様が、本発明の趣旨を逸脱しない限り、何れも、本発明の範囲内に含まれるものであることは、言うまでもない。
【符号の説明】
【００６５】
１０  パチンコ機
１８  前扉
５２  音・光制御基板
６０  上蝶着部側スピーカ
６１  上開放端側スピーカ
６４  下蝶着部側スピーカ
６５  下開放端側スピーカ
６８  上側ＬＥＤ基板
７０  蝶着部側ＬＥＤ基板
７２  開放端側ＬＥＤ基板
７４  下蝶着部側ＬＥＤ基板
７６  下開放端側ＬＥＤ基板
８６  中継配線
１０４  中継配線
１２０  中継配線
【図１】
2010158581.tif 000003
【図２】
2010158581.tif 000004
【図３】
2010158581.tif 000005
【図４】
2010158581.tif 000006
【図５】
2010158581.tif 000007
【図６】
2010158581.tif 000008
【図７】
2010158581.tif 000009
【図８】
2010158581.tif 000010
【図９】
2010158581.tif 000011
【図１０】
2010158581.tif 000012
【図１１】
2010158581.tif 000013
【図１２】
2010158581.tif 000014
【図１３】
2010158581.tif 000015
【図１４】
2010158581.tif 000016
【図１５】
2010158581.tif 000017
【図１６】
2010158581.tif 000018
【図１７】
2010158581.tif 000019